(57)【要約】【課題】屈曲等による絶縁特性の低下を十分に抑制できる同軸ケーブルを提供すること。【解決手段】内部導体１０を中心として、その周囲に絶縁層２０、外部導体３０及びシース４０を順次配した同軸ケーブル１００であって、外部導体３０が、金属テープ３１と樹脂テープ３２とを積層した複合テープ３３を編組したものより構成され、複合テープ３３における樹脂テープ３２が絶縁層２０側に向けられている同軸ケーブル１００。【選択図】図３
2013168213.tif 000002
【特許請求の範囲】
【請求項１】
内部導体を中心として、その周囲に絶縁層、外部導体及びシースを順次配した同軸ケーブルであって、
前記外部導体が、金属テープと樹脂テープとを積層した複合テープを編組したものより構成され、
前記複合テープにおける前記樹脂テープが前記絶縁層側に向けられている同軸ケーブル。
【請求項２】
前記樹脂テープの一部が前記絶縁層に接着されている請求項１に記載の同軸ケーブル
【請求項３】
前記複合テープの幅が１ｍｍ以下である、請求項１又は２に記載の同軸ケーブル。
【発明の詳細な説明】
【技術分野】
【０００１】
本発明は、同軸ケーブルに関する。
【背景技術】
【０００２】
電子機器間のデータ伝送用ケーブルとして、同軸ケーブルが知られている。同軸ケーブルは、内部導体を中心として、その周囲に絶縁層、外部導体及びシースを順次配することにより構成されたものである。
【０００３】
このような同軸ケーブルとして、例えば、外部導体を、複数枚の金属テープを編組したものにより構成し、金属テープのシース側の表面に合成樹脂層を配し、この合成樹脂層を樹脂製のシースの内周面に融着させた同軸ケーブルが知られている（下記特許文献１参照）。この同軸ケーブルは、外部導体を、導体素線を編組してなるものより構成した従来の同軸ケーブルと比較して、同等の性能を維持しながら外部導体の厚さを小さくできるため、同軸ケーブルを細径化できるという利点を有する。
【先行技術文献】
【特許文献】
【０００４】
【特許文献１】特開平９−１７２４６号公報
【発明の概要】
【発明が解決しようとする課題】
【０００５】
しかし、上記特許文献１に記載の同軸ケーブルは以下に示す課題を有していた。
【０００６】
すなわち上記特許文献１に記載の同軸ケーブルでは、金属テープのシース側の表面に合成樹脂層を配しているため、金属テープが絶縁層側に向けられることになる。このため、同軸ケーブルの屈曲等により外部導体と絶縁層との間でずれが生じると、外部導体を構成する金属テープのエッジが絶縁層を傷つけ、絶縁特性を低下させるおそれがある。
【０００７】
本発明は、上記事情に鑑みてなされたものであり、屈曲等による絶縁特性の低下を十分に抑制できる同軸ケーブルを提供することを目的とする。
【課題を解決するための手段】
【０００８】
本発明者は上記課題を解決するため検討を重ねた結果、以下の発明により上記課題を解決し得ることを見出した。
【０００９】
すなわち本発明は、内部導体を中心として、その周囲に絶縁層、外部導体及びシースを順次配した同軸ケーブルであって、前記外部導体が、金属テープと樹脂テープとを積層した複合テープを編組したものより構成され、前記複合テープにおける前記樹脂テープが前記絶縁層側に向けられている同軸ケーブルである。
【００１０】
本発明の同軸ケーブルによれば、外部導体が、金属テープと樹脂テープとを積層した複合テープを編組したものより構成され、複合テープの樹脂テープが絶縁層側に向けられている。すなわち、金属テープと絶縁層との間に樹脂テープが介在している。このため、金属テープのエッジが絶縁層と接触しにくくなっている。従って、同軸ケーブルの屈曲等により外部導体と絶縁層との間にずれが生じたとしても、金属テープのエッジにより、絶縁層が傷つけられる可能性を十分に低減することができる。その結果、同軸ケーブルの絶縁特性の低下が十分に抑制される。
【００１１】
上記同軸ケーブルにおいては前記樹脂テープの一部が前記絶縁層に接着されていることが好ましい。この場合、絶縁層に対する複合テープの密着性を高くすることができる。このため、同軸ケーブルが屈曲等されても、金属テープと絶縁層との間の隙間が大きくなることが十分に抑制される。このため、信号にノイズが入ることが十分に抑制され、信号の減衰を十分に抑制することができる。その結果、伝送特性の低下を十分に抑制することが可能になるという利点がある。
【００１２】
上記同軸ケーブルにおいては、前記複合テープの幅が１ｍｍ以下であることが好ましい。この場合、複合テープの幅が１ｍｍを超える場合に比べて、同軸ケーブルの柔軟性が向上するという利点がある。
【発明の効果】
【００１３】
本発明によれば、屈曲等による絶縁特性の低下を十分に抑制できる同軸ケーブルが提供される。
【図面の簡単な説明】
【００１４】
【図１】本発明に係る同軸ケーブルの一実施形態を示す部分側面図である。
【図２】図１の外部導体をシース側から見た部分拡大側面図である。
【図３】図１の同軸ケーブルの部分断面図である。
【発明を実施するための形態】
【００１５】
以下、本発明の実施形態について図１〜図３を用いて詳細に説明する。
【００１６】
図１は、本発明に係る同軸ケーブルの一実施形態を示す部分側面図である。図１に示すように、同軸ケーブル１００は、内部導体１０を中心として、その周囲に、絶縁層２０、外部導体３０、および、シース４０を順次配することにより構成されている。
【００１７】
図２は、図１の外部導体をシース側から見た部分拡大側面図、図３は、図１の同軸ケーブルの部分断面図である。図２に示すように、外部導体３０は、複合テープ３３を編組したものより構成されている。ここで、図３に示すように、複合テープ３３は、金属テープ３１と樹脂テープ３２とを積層して構成されており、金属テープ３１をシース４０側に向けた状態で編組を構成している。そして、複合テープ３３における樹脂テープ３２の一部が絶縁層２０側に向けられて絶縁層２０に接着されている。
【００１８】
同軸ケーブル１００によれば、外部導体３０が、金属テープ３１と樹脂テープ３２とを積層した複合テープ３３を編組したものより構成され、複合テープ３３における樹脂テープ３２が絶縁層２０側に向けられている。すなわち、金属テープ３１と絶縁層２０との間に樹脂テープ３２が介在している。このため、金属テープ３１のエッジが絶縁層２０と接触しにくくなっている。従って、同軸ケーブル１００の屈曲等により外部導体３０と絶縁層２０との間にずれが生じたとしても、金属テープ３１のエッジにより、絶縁層２０が傷つけられる可能性を十分に低減することができる。その結果、同軸ケーブル１００の絶縁特性の低下が十分に抑制される。また同軸ケーブル１００では、複合テープ３３における樹脂テープ３２の一部が絶縁層２０に接着されている。このため、絶縁層２０に対する複合テープ３３の密着性を高くすることができる。これにより、同軸ケーブル１００が屈曲等されても、金属テープ３１と絶縁層２０との間の隙間が大きくなることが十分に抑制される。従って、信号にノイズが入ることが十分に抑制され、信号の減衰を十分に抑制することができる。その結果、伝送特性の低下を十分に抑制することが可能となる。
【００１９】
以下、同軸ケーブル１００の各構成について詳細に説明する。
【００２０】
（内部導体）
内部導体１０は、１本の素線のみで構成されてもよく、複数本の素線を撚り合わせてなる撚線で構成されてもよい。また、内部導体１０は、導体径や導体の材質などについて特に限定されるものではなく、用途に応じて適宜定めることができる。内部導体１０は、例えば銅合金、銀メッキ銅などで構成することができる。
【００２１】
内部導体１０の直径は、特に制限されるものではなく、例えば０．０１〜０．３０ｍｍ程度とすればよい。
【００２２】
（絶縁層）
絶縁層２０は樹脂で構成される。このような樹脂としては、例えば紫外線硬化樹脂、フッ素樹脂、又はポリエチレンなどのポリオレフィンを用いることができる。
【００２３】
絶縁層２０の厚さは、特に限定されるものではなく、例えば０．０１〜０．２０ｍｍ程度とすればよい。
【００２４】
（外部導体）
外部導体１５は、上述したように、金属テープ３１と樹脂テープ３２とを積層した複合テープ３３を編組したものより構成される。
【００２５】
金属テープ３１は金属で構成される。このような金属としては、例えば銅やアルミニウムが挙げられる。
【００２６】
金属テープ３１の厚さは、特に限定されるものではないが、柔軟性を向上させる観点からは、例えば１〜３０μｍ程度であることが好ましい。
【００２７】
樹脂テープ３２は樹脂で構成される。このような樹脂は、特に制限されるものではなく、このような樹脂としては、例えば紫外線硬化樹脂、ポリエチレンなどのポリオレフィン、ポリエチレンテレフタレート（ＰＥＴ）などのポリエステルなどが挙げられる。ここで、樹脂テープ３２を構成する樹脂は、金属テープ３１を補強し、金属テープ３１の断線を防止する観点からは、ポリエステルが好ましい。
【００２８】
樹脂テープ３２の厚さは、特に限定されるものではないが、柔軟性を向上させる観点からは、例えば６〜２５μｍ程度であることが好ましい。
【００２９】
複合テープ３３の厚さは特に制限されないが、同軸ケーブル１００に十分な柔軟性を付与する観点からは３０μｍ以下であることが好ましく、２０μｍ以下であることが好ましい。
【００３０】
複合テープ３３の幅も特に制限されるものではないが、同軸ケーブル１００の柔軟性を向上させるという理由から、１ｍｍ以下であることが好ましく、０．８ｍｍ以下であることがより好ましい。但し、作業性が低下するという理由から、複合テープ３３の幅は０．２ｍｍ以上であることが好ましい
【００３１】
（シース）
シース４０は、絶縁層２０を物理的又は化学的な損傷から保護するものである。シース４０は、例えばポリ塩化ビニル、発泡ポリエチレン、フッ素樹脂、ポリオレフィンなどで構成される。
【００３２】
シース４０の厚さは、特に限定されるものではなく、例えば０．０１〜０．３０ｍｍ程度とすればよい。
【００３３】
次に、同軸ケーブル１００の製造方法について説明する。
【００３４】
まず内部導体１０を準備する。
【００３５】
次に、内部導体１０を絶縁層２０で被覆する。内部導体１０の被覆は、例えば絶縁層形成用材料をチューブ状に溶融押出し、チューブ状の押出物の内側に内部導体１０を通すようにすればよい。
【００３６】
次に、絶縁層２０を外部導体３０で包囲する。外部導体３０は、金属テープ３１と樹脂テープ３２とを積層した複合テープ３３を編組することにより形成することができる。複合テープ３３は、樹脂フィルムと金属フィルムとを積層した複合フィルムをスリット加工することにより得ることができる。ここで、複合フィルムは、樹脂フィルム上に金属箔を接着させたり、樹脂フィルムに金属メッキを施したり、樹脂フィルムに金属蒸着を施したりすることによって得ることができる。
【００３７】
最後に、外部導体３０をシース４０で被覆する。以上のようにして同軸ケーブル１００が得られる。
【００３８】
なお、本発明は上記実施形態に限定されるものではない。例えば上記実施形態では、複合テープ３３における樹脂テープ３２の一部が絶縁層２０側に向けられて絶縁層２０に接着されているが、同軸ケーブル１００の絶縁特性の低下を十分に抑制するという観点からは、樹脂テープ３２の一部は必ずしも絶縁層２０に接着されていなくてもよい。
【符号の説明】
【００３９】
１０…内部導体
２０…絶縁樹脂層
３０…外部導体
３１…金属テープ
３２…樹脂テープ
３３…複合テープ
４０…シース
１００…同軸ケーブル
【図１】
2013168213.tif 000003
【図２】
2013168213.tif 000004
【図３】
2013168213.tif 000005